(57)【要約】      （修正有）【課題】ロケット発射の様な、一時的に大量のエネルギーを必要とするものや、電力エネルギーの様に、需要と供給の調整を必要とするものなど、エネルギーを蓄積し用途に合わせた提供を行う事の効率的な運用が課題となっている。また、津波や高波などの災害エネルギーに対しても、現状では上陸時点での防波堤対応等が一般的な災害対応となっているが、構築上の限界もあり、そこに課題を持っている。【解決手段】水面下に「水圧エネルギー蓄積タンクＢ」を持ち、その水面下のタンクＢに水圧とバランスする圧縮空気を持つことでエネルギー蓄積が行える為、需要用途に合わせたエネルギーの放出提供を容易に行う事が可能となる。エネルギーの放出に際しては、圧縮空気の放出エネルギーと、空気放出による「水圧エネルギー蓄積タンクＢ」への加圧水の注入エネルギーの２つを持ち、用途に合わせた効率的なエネルギー供給を実現する装置を提供する。【選択図】図１
2013217610.tif 000002
【特許請求の範囲】
【請求項１】
水面下に「水圧エネルギー蓄積タンク：Ｂ」を設置し、その内部に水圧とバランスを取った圧縮空気を持つことでのエネルギー蓄積を行う装置とそのシステム。
【請求項２】
蓄積された水圧エネルギーの放出制御による、圧縮空気を使ったロケット及びミサイルの打ち上げ装置とそのシステム。
【請求項３】
蓄積された水圧エネルギーの放出により発生する水の流れを利用した、発電による電力供給を行う装置とそのシステム。
【請求項４】
蓄積された水圧エネルギーの放出により発生する空気の流れを利用した、発電による電力供給を行う装置とそのシステム。
【請求項５】
蓄積された水圧エネルギーの放出により発生する水の流れを利用した、津波や高波の持つエネルギーの吸収を行う装置とそのシステム。
【発明の詳細な説明】
【技術分野】
【０００１】
本発明は、水圧によるエネルギーの蓄積と、その放出からなるエネルギーの活用を支援する仕組みに関するものである。
【背景技術】
【０００２】
エネルギーの活用に当たっては、ロケットのように大気圏から脱出する際に、一時的に大きなエネルギー（大量の燃料）を必要とするものや、発電される電気エネルギーのように、需要に合わせた発電運用を必要とするものなどがあり、効率的な運用が行えていない実情がある。
【０００３】
またロケット打ち上げでは、大砲のような火薬爆発を使った外部（本体の燃料以外）から打ち上げ発射エネルギーを得る方法では、ロケット本体が高温や爆破衝撃に耐えうる構造とする対応が必要となり、その後の大気圏脱出飛行を考えると、現実性の難しいものとなっている。
【発明の概要】
【発明が解決しようとする課題】
【０００４】
本発明装置を使うことで、必要用途（需要）に合わせたエネルギーの蓄積と放出（提供）を実現する。
【０００５】
ロケットの発射時等では、一時的に大量に必要となる離陸加速エネルギーを、本発明装置から放出される圧縮空気を使って行う事で、ロケット本体に高熱を与える事なく、また加速の強さも放出圧力のコントロールで行えるので、ロケット構造に対しての負荷対応も行える。
【０００６】
発射装置から放出される圧縮空気エネルギーを活用する事で、ロケットの発射に必要となる本体への積み込み燃料を軽減させ、その軽減重量を積載重量に置き換える事が実現できるので、宇宙開発に不可欠となる貨物輸送の運搬効率化が実現できる。
【０００７】
また電気エネルギーに対しては、需要の少ない時期の余剰電気エネルギーを、本発明装置に蓄積し需要が増加した時に放出活用する事で、効率的な発電運用を実現できる。
【０００８】
さらに、本発明装置の数を多く設置した場合には、圧力エネルギー放出による水面低下を起こす事が可能となる為、津波や高波の持つ災害エネルギーを陸地に到達する前に減少させる事も実現可能となる。
【課題を解決するための手段】
【０００９】
水圧の掛かるタンクに、空気を送り込む事でエネルギーを蓄積させて、必要とされる用途に応じた放出を可能とさせる装置と仕組みを提供する。
【００１０】
水圧の掛かる水面下に、圧縮された空気を持つことでエネルギーを蓄積する為、津波や高波の様な水面が上がる災害エネルギーに対して、圧縮された空気を抜く事で、海面を下げる方向のエネルギーコントロールを可能とする装置と仕組みを提供する。
【発明の効果】
【００１１】
本発明は、以下の効果をもたらす。
（１）ロケット等の打ち上げ発射時に必要となる大きなエネルギーを、圧縮空気を使って行う事で、打ち上げ輸送貨物の運搬効率を向上させる。
（２）電気エネルギーの蓄積を行う事で、需要と供給のバランスを考えた効率的な発送電運用を実現する。
（３）津波や高波に対して、陸地に到達する前に、そのエネルギーを減少させる事を可能とする。
（４）水圧エネルギーにつり合う圧縮空気を持つ事で、エネルギー蓄積タンクの構造負荷を少ないものとしている。
【図面の簡単な説明】
【００１２】
【図１】図１は、本発明装置全体の仕組みを示した概要図である。
【図２】図２は、水圧エネルギーを蓄積する為のタンクの構造を示した説明図である。
【図３】図３は、本発明装置を使用した電気エネルギーの蓄積と放出を示した説明図である。
【図４】図４は、津波や高波の発生時に本発明装置を活用する方法を示した説明図である。
【符号の説明】
【００１３】
Ａ：圧力エネルギー制御装置
Ａ−１：空気取り込みポンプ
Ａ−２：空気取り込みパイプ
Ａ−３：圧縮空気の送信パイプ
Ｂ：水圧エネルギー蓄積タンク
Ｂ−１：圧縮空気の入出口
Ｂ−２：圧縮空気蓄積エリア
Ｂ−３：加圧水エリア
Ｂ−４：加圧水の入出口
Ｂ−５：水圧発電用タービン連結パイプ
Ｂ−６：高速海水取り込み制御装置
Ｂ−７：高速海水取り込みパイプ
Ｂ−８：高速海水取り込み口
Ｃ：圧縮空気排出装置
Ｃ−１：圧縮空気排出パイプ
Ｃ−２：発射用圧力調整エリア
Ｃ−３：可動式発射台
Ｃ−４：発射管
Ｃ−５：発射管内の空気排出口
Ｃ−６：風圧発電用タービン連結パイプ
Ｃ−７：風圧発電用タービン
Ｃ−８：風圧発電用の空気排出管
Ｃ−９：高速海水取り込み用の空気排出管
Ｄ：水圧発電用タービン制御装置
Ｄ−１：水圧発電用タービン
【発明を実施するための形態】
【００１４】
◆水圧エネルギー蓄積の実施形態
（１）空気の取り込み
「空気取り込みポンプ：Ａ−１」を使って、「空気取り込みパイプ：Ａ−２」より、空気を「圧力エネルギー制御装置：Ａ」に送り込む。
（２）蓄積制御の仕組み
「圧力エネルギー制御装置：Ａ」では、複数の「水圧エネルギー蓄積タンク：Ｂ」に対し、中の圧縮空気の蓄積量を制御しながら、エネルギー蓄積を行う。
（３）水圧エネルギー蓄積の仕組み
「水圧エネルギー蓄積タンク：Ｂ」の内部では、「圧縮空気蓄積エリア：Ｂ−２」に圧縮空気が蓄積され、「加圧水エリア：Ｂ−３」の水圧とバランスを取る為に「加圧水の入出口：Ｂ−４」から水を排出する事で、水圧エネルギーが蓄積されるものとなる。
【００１５】
◆ロケット発射時の実施形態〔放出１〕
（１）排出空気の圧力調整
ロケットの発射加速に合わせて、「水圧エネルギー蓄積タンク：Ｂ」の内部にある圧縮空気を、「圧縮空気の送信パイプ：Ａ−３」から「圧力エネルギー制御装置：Ａ」を経由して、「発射用圧力調整エリア：Ｃ−２」に送り込む。
（２）発射管内の空気排出
「発射管：Ｃ−４」の空気を「発射管内の空気排出口：Ｃ−５」より「空気取り込みポンプ：Ａ−１」を使って排出することで、「可動式発射台：Ｃ−３」の発射動作による空気圧の上昇抵抗を取り除く。
（３）ロケットの発射エネルギー伝達
「圧力エネルギー制御装置：Ａ」により、「発射管：Ｃ−４」の中で最も効率的となる発射加速を行い、重力加速エネルギーとしてロケット本体に離陸エネルギーを伝達する。
（４）その後のロケット飛行
「発射管：Ｃ−４」から先は、ロケットが持つ燃料を使った飛行を行う。
【００１６】
◆電力エネルギー放出の実施形態〔放出２〕
（１）水圧エネルギーの取り込み口切り替え
「水圧エネルギー蓄積タンク：Ｂ」の「加圧水の入出口：Ｂ−４」を閉じて、「水圧発電用タービン連結パイプ：Ｂ−５」を開放状態とする事で、圧縮空気が放出される際の水の取り込みを「水圧発電用タービン制御装置：Ｄ」から行うようにする。
（２）水圧発電用タービンによる発電
「圧力エネルギー制御装置：Ａ」により、複数の「水圧エネルギー蓄積タンク：Ｂ」の圧縮空気量を制御しながら、圧縮空気の排出を行うと同時に、発電需要量に合わせた加圧水の取り込み調整を「水圧発電用タービン制御装置：Ｄ」で行い、「水圧発電用タービン：Ｄ−１」での発電による電力エネルギーを供給する。
（３）風圧発電用タービンによる発電
「圧力エネルギー制御装置：Ａ」から排出される空気を使って「風圧発電用タービン：Ｃ−７」を使って、排出空気を使った電力発電も行う事で、効率的な電気エネルギーの供給を実現する。
【００１７】
◆津波エネルギー吸収対策の実施形態〔放出３〕
（１）津波エネルギー吸収への準備
「水圧エネルギー蓄積タンク：Ｂ」の「加圧水の入出口：Ｂ−４」を閉じて、「高速海水取り込み制御装置：Ｂ−６」を準備状態とし、「圧力エネルギー制御装置：Ａ」からの空気排出を開放状態にする。
（２）津波エネルギー吸収
発生した津波の状態に合わせた「水圧エネルギー蓄積タンク：Ｂ」への注水を「高速海水取り込み口：Ｂ−８」から行うことで、津波等の災害エネルギーを吸収する。
【実施例】
【００１８】
図１は、本発明装置を使ったロケット発射時の状態を表すものとなる。
【００１９】
図３は、本発明装置を使った電気エネルギーの蓄積と放出による電力の需要と供給のバランス運用を表すものとなる。
【００２０】
図４は、本発明装置を使った津波エネルギーの吸収対応を表すものとなる。
【図１】
2013217610.tif 000003
【図２】
2013217610.tif 000004
【図３】
2013217610.tif 000005
【図４】
2013217610.tif 000006